(57)【要約】【課題】内部材をキャップ本体内に圧入する際の内部材の向きを揃えることを不要にし、製造工程を簡略化でき、また、落下等の衝撃が加わっても、キャップ本体から内部材が容易に脱落するおそれがない筆記具用キャップを提供する。【解決手段】軸方向に延びる複数本の縦リブ２１をキャップ本体２内面に設ける。ペン先と当接する円柱状の内部材３が縦リブ２１によってキャップ本体２内に保持される。内部材３の外径と内部材３の軸方向長さとが略等しい。内部材３の軸線Ｘとキャップ本体２の軸線Ｙとが直交する。横断面視における内部材３の角部３１が縦リブ２１によって内方に圧縮変形されるか、または横断面視における内部材３の辺部３２が縦リブ２１によって内方に圧縮変形される。【選択図】  図１
2010149364.tif 000002
【特許請求の範囲】
【請求項１】
軸方向に延びる複数本の縦リブをキャップ本体内面に設け、ペン先と当接する円柱状の内部材が前記縦リブによってキャップ本体内に保持される筆記具用キャップであって、前記内部材の外径と前記内部材の軸方向長さとが略等しいことを特徴とする筆記具用キャップ。
【請求項２】
前記内部材の軸線と前記キャップ本体の軸線とが直交する請求項１記載の筆記具用キャップ。
【請求項３】
横断面視における内部材の角部が縦リブによって内方に圧縮変形される請求項２記載の筆記具用キャップ。
【請求項４】
横断面視における内部材の辺部が縦リブによって内方に圧縮変形される請求項２記載の筆記具用キャップ。
【請求項５】
軸方向に延びる複数本の縦リブをキャップ本体内面に設け、ペン先と当接する円柱状の内部材が前記縦リブによってキャップ本体内に保持される筆記具用キャップであって、前記内部材の軸線と前記キャップ本体の軸線とが直交し、横断面視における内部材の角部が縦リブによって内方に圧縮変形されるか、または横断面視における内部材の辺部が縦リブによって内方に圧縮変形されることを特徴とする筆記具用キャップ。
【発明の詳細な説明】
【技術分野】
【０００１】
本発明は、筆記具用キャップに関する。詳細には、軸方向に延びる複数本の縦リブをキャップ本体内面に設け、ペン先と当接する円柱状の内部材が前記縦リブによってキャップ本体内に保持される筆記具用キャップに関する。
【背景技術】
【０００２】
特許文献１には、軸方向に延びる複数本の縦リブをキャップ本体内面に設け、ペン先と当接する円柱状の内部材が前記縦リブによってキャップ本体内に保持される構造が開示されている。
【０００３】
【特許文献１】特開２０００−２８９３８３号公報
【発明の開示】
【発明が解決しようとする課題】
【０００４】
前記従来の筆記具用キャップは、円柱状の内部材の両端面を軸方向に向け且つ内部材の円周面状外面と縦リブとを圧接させる構成である。そのため、内部材を縦リブに圧入する際、内部材の両端面が軸方向に向くよう、内部材の向きを揃える必要があり、製造工程が煩雑となる。もし、内部材の向きを揃えずキャップ本体内に圧入すると、内部材がキャップ本体内に適正に圧入されず、組立不良が発生し、ペン当接部材としての内部材の機能が阻害されるおそれがある。
【０００５】
本発明は、前記従来の問題点を解決するものであって、内部材をキャップ本体内に圧入する際の内部材の向きを揃えることを不要にし、製造工程を簡略化でき、また、落下等の衝撃が加わっても、キャップ本体から内部材が容易に脱落するおそれがない筆記具用キャップを提供しようとするものである。
【課題を解決するための手段】
【０００６】
本願の第１の発明は、軸方向に延びる複数本の縦リブ２１をキャップ本体２内面に設け、ペン先と当接する円柱状の内部材３が前記縦リブ２１によってキャップ本体２内に保持される筆記具用キャップであって、前記内部材３の外径と前記内部材３の軸方向長さとが略等しいことを要件とする。
【０００７】
前記第１の発明の筆記具用キャップ１は、内部材３の外径と内部材３の軸方向長さとが略等しいことにより、内部材３の軸線Ｘとキャップ本体２の軸線Ｙとが一致（または平行に位置）し、内部材３の円周面状外面のみと縦リブ２１が圧接する場合（即ち縦向き圧入の場合）、または内部材３の軸線Ｘとキャップ本体２の軸線Ｙとが直交し、内部材３の両端面及び円周面状外面と縦リブ２１とが圧接する場合（即ち横向き圧入の場合）のいずれの場合でも、内部材３と縦リブ２１との適正な圧接が可能となり、内部材３のペン当接部材として機能が阻害されることがない。それにより、内部材３をキャップ本体２内に圧入する際、内部材３の向きを揃える必要がなく、製造工程が簡略化できる。
【０００８】
特に、前記第１の発明の筆記具用キャップ１は、内部材３の外径Ｄと内部材３の軸方向長さＬとが略等しいことより、キャップを筆記具本体のペン先側に装着した際、ペン先と内部材３との軸方向の接触量を一定にできる。
【０００９】
尚、本発明において、内部材３の外径と内部材３の軸方向長さとが略等しいとは、例えば、内部材３の外径をＤ、内部材３の軸方向の長さをＬとしたとき、０．８×Ｄ≦Ｌ≦１．２×Ｄ（好ましくは０．９５×Ｄ≦Ｌ≦１．０５×Ｄ）の関係を満足する場合、内部材３の外径Ｄと内部材３の軸方向長さＬとが略等しいものとする。前記Ｌが０．８×Ｄより小さい場合、前記Ｌが１．２×Ｄより大きい場合のいずれの場合も、内部材３と縦リブ２１との適正な圧接が得られず、しかも、ペン先と内部材３との軸方向の接触量を一定にできない。
【００１０】
本願の第２の発明は、前記第１の発明の筆記具用キャップ１において、前記内部材３の軸線Ｘと前記キャップ本体２の軸線Ｙとが直交することを要件とする。（図５及び図６参照）
【００１１】
前記第２の発明の筆記具用キャップ１は、内部材３の両端面及び円周面状外面と縦リブ２１とが圧接すること（即ち横向き圧入）によって、内部材３を縦リブ２１に強固に圧入することができ、落下等の衝撃が加わっても、キャップ本体２から内部材３が容易に脱落するおそれがない。
【００１２】
本願の第３の発明は、前記第２の発明の筆記具用キャップ１において、横断面視における内部材３の角部３１が縦リブ２１によって内方に圧縮変形されることを要件とする。（図５参照）
【００１３】
前記第３の発明の筆記具用キャップ１は、縦リブ２１により内部材３の横断面四角形状の角部３１が大きく圧縮変形され、より一層、内部材３を縦リブ２１に強固に圧入することができる。
【００１４】
本願の第４の発明は、前記第２の発明の筆記具用キャップ１において、横断面視における内部材３の辺部３２が縦リブ２１により内方に圧縮変形されることを要件とする。（図６参照）
【００１５】
前記第４の発明の筆記具用キャップ１は、縦リブ２１により内部材３の横断面四角形状の辺部３２が大きく圧縮変形され、より一層、内部材３を縦リブ２１に強固に圧入することができる。
【００１６】
本願の第５の発明の筆記具用キャップ１は、軸方向に延びる複数本の縦リブ２１をキャップ本体２内面に設け、ペン先と当接する円柱状の内部材３が前記縦リブ２１によってキャップ本体２内に保持される筆記具用キャップであって、前記内部材３の軸線Ｘと前記キャップ本体２の軸線Ｙとが直交し、横断面視における内部材３の角部３１が縦リブ２１によって内方に圧縮変形されるか、または横断面視における内部材３の辺部３２が縦リブ２１によって内方に圧縮変形されることを要件とする。（図５及び図６参照）
【００１７】
前記第５の発明の筆記具用キャップ１は、内部材３の両端面及び円周面状外面と、縦リブ２１とが圧接すること（即ち横向き圧入）によって、内部材３を縦リブ２１に強固に圧入することができ、落下等の衝撃が加わっても、キャップ本体２から内部材３が容易に脱落するおそれがない。特に、前記第５の発明の筆記具用キャップは、縦リブ２１により内部材３の横断面四角形状の角部３１が大きく圧縮変形されるか、または縦リブ２１により内部材３の横断面四角形状の辺部３２が大きく圧縮変形されることにより、内部材３を縦リブ２１に強固に圧入することができる。
【００１８】
尚、縦リブ２１の本数は、例えば、４本〜１０本が挙げられる。特に、縦リブ２１は、４本、６本、８本、１０本の偶数本をキャップ本体２内面に等間隔に設ける構成が好ましく、それにより、略正方形断面の内部材３の４つの辺部３２に縦リブ２１を確実に圧接させることができる。
【発明の効果】
【００１９】
本発明の筆記具用キャップによれば、内部材を縦リブに圧入する際、内部材の向きを揃える必要がなく、製造工程を簡略化できる。
【発明を実施するための最良の形態】
【００２０】
図１乃至図６に本発明の実施の形態を示す。
【００２１】
本実施の形態の筆記具用キャップ１は、キャップ本体２と、前記キャップ本体２内に収容される内部材３とからなる。
【００２２】
・キャップ本体
前記キャップ本体２は、一端が開口され且つ他端が閉鎖された有底円筒状体であり、合成樹脂（例えば、ポリプロピレン、ポリカーボネイト）の射出成形により得られる。前記キャップ本体２の外面にはクリップ２３（図１の２点鎖線部分）が一体に形成される。
【００２３】
前記キャップ本体２の周壁の内面には、軸方向に延びる複数本（例えば８本）の縦リブ２１が等間隔に一体に形成される。前記キャップ本体２の閉塞壁及び周壁の内面には、軸方向に延びる十字状のリブよりなる当接壁部２２が一体に形成される。前記当接壁部２２が前記縦リブ２１の閉塞壁側に配置される。前記縦リブ２１に前記内部材３が径方向に圧接され、前記当接壁部２２に前記内部材３が軸方向に当接される。
【００２４】
・内部材
前記内部材３は円柱状の部材である（図４参照）。前記内部材３の外径Ｄと、前記内部材３の軸方向長さＬとは、略等しく形成される。具体的には、前記Ｄと前記Ｌは、０．８×Ｄ≦Ｌ≦１．２×Ｄ（好ましくは０．９５×Ｄ≦Ｌ≦１．０５×Ｄ）の関係を満足するよう設定される。
【００２５】
前記内部材３は、例えば、多孔質材料（具体的には、フェルト加工体、繊維の樹脂加工体、合成樹脂の発泡体等）、または弾性体（具体的には、合成ゴムや熱可塑性エラストマー等）が挙げられる。前記多孔質材料からなる内部材３は、ペン先がプラスチック押出ペン体や繊維ペン体の場合に用いられ、前記弾性体からなる内部材３は、ペン先がボールペンチップや小管状ペン体の場合に用いられる。前記内部材３によって、ペン先からのインキの下降や、インキの蒸発が防止される。
【００２６】
・縦向き圧入
図１及び図２に、円柱状の内部材３の両端面を軸方向に向け、前記内部材３をキャップ本体２の縦リブ２１に圧入した状態を示す。このとき、内部材３の一端面が当接壁部２２に軸方向に当接し、内部材３の円周面状外面が縦リブ２１に適正に圧接される。
【００２７】
・横向き圧入Ａ
図１及び図５に、内部材３の軸線Ｘとキャップ本体２の軸線Ｙとが直交するよう、円柱状の内部材３をキャップ本体２の縦リブ２１に圧入した状態を示す。このとき、内部材３の横断面四角形状の各々の角部３１が縦リブ２１によって内方に大きく圧縮変形されると同時に、内部材３の横断面四角形状の各々の辺部３２が縦リブ２１によって内方に小さく圧縮変形される。それにより、内部材３を縦リブ２１に強固に圧入することができる。
【００２８】
・横向き圧入Ｂ
図１及び図６に、内部材３の軸線Ｘとキャップ本体２の軸線Ｙとが直交するよう、円柱状の内部材３をキャップ本体２の縦リブ２１に圧入した状態を示す。このとき、内部材３の横断面四角形状の辺部３２が縦リブ２１によって内方に大きく圧縮変形されると同時に、内部材３の横断面四角形状の各々の角部３１が縦リブ２１によって内方に小さく圧縮変形される。それにより、内部材３を縦リブ２１に強固に圧入することができる。
【００２９】
本実施の形態の筆記具用キャップ１によれば、内部材３を縦リブ２１に圧入する際、内部材３の縦向き圧入、または内向き圧入のいずれの圧入も可能となり、内部材３の向きを揃える必要がなく、製造工程を簡略化できる。
【００３０】
本実施の形態の筆記具用キャップ１によれば、内部材３の横向き圧入（即ち、横向き圧入Ａ、または横向き圧入Ｂ）によって、内部材３を縦リブ２１に強固に圧入することができ、落下等の衝撃が加わっても、キャップ本体２から内部材３が容易に脱落するおそれがない。
【図面の簡単な説明】
【００３１】
【図１】本発明の実施の形態の縦断面図である。
【図２】図１のＡ−Ａ線断面図である。（図１の縦向き圧入の場合のＡ−Ａ線断面図である。）
【図３】図１のＢ−Ｂ線断面図である。
【図４】図１の内部材の斜視図である。
【図５】図１のＡ−Ａ線断面図である。（図１の横向き圧入Ａの場合のＡ−Ａ線断面図である。）
【図６】図１のＡ−Ａ線断面図である。（図１の横向き圧入Ｂの場合のＡ−Ａ線断面図である。）
【符号の説明】
【００３２】
１  筆記具用キャップ
２  キャップ本体
２１  縦リブ
２２  当接壁部
２３  クリップ
３  内部材
３１  角部
３２  辺部
【図１】
2010149364.tif 000003
【図２】
2010149364.tif 000004
【図３】
2010149364.tif 000005
【図４】
2010149364.tif 000006
【図５】
2010149364.tif 000007
【図６】
2010149364.tif 000008